(57)【要約】【課題】捕獲対象の動物に相当する重量が加わったときに、適切に捕獲状態となるようにすることができる括りわなを提供する。【解決手段】括りわな１は、折り曲げ可能に連結される踏み板２１及び２２と、踏み板２１及び２２の外周に巻き付けられる括り輪７１を有し、括り輪７１が締まるように付勢可能な括りワイヤ７と、踏み板２１及び２２に架け渡される引張りばね５とを備える。【選択図】図１
0003187059.tif 000002
【実用新案登録請求の範囲】
【請求項１】
折り曲げ可能に連結される第１及び第２の踏み板と、
前記第１及び第２の踏み板の外周に巻き付けられる括り輪を有し、前記括り輪が締まるように付勢可能な括りワイヤと、
前記第１及び第２の踏み板に架け渡される弾性体と、
を備える、括りわな。
【請求項２】
請求項１に記載の括りわなであって、さらに、
前記第１及び第２の踏み板の連結部分に挿入される安全ピンを備える、括りわな。
【請求項３】
請求項１又は２に記載の括りわなであって、さらに、
前記第１及び第２の踏み板の連結部分と反対側の部分に突出するように設けられる支持部を備える、括りわな。
【考案の詳細な説明】
【技術分野】
【０００１】
本考案は、括りわなに関し、さらに詳しくは、鹿や猪などの野生動物を捕獲するための括りわなに関する。
【背景技術】
【０００２】
従来、括りわなとしては、例えば、特許文献１及び特許文献２に開示されたものが存在している。
【０００３】
実用新案登録第３１７２２９８号公報（特許文献１）には、中央部にて下方に屈曲可能に形成された踏み板と、踏み板を収容できる大きさと踏み板の厚さよりも大きな深さを有し、踏み板の両端部を載置保持できる段部が形成された基台と、ループが踏み板の外周に係止されて踏み板をその中心方向に付勢し、係止が解除された際にこのループを収縮するバネ付きループ状ワイヤとからなることを特徴とする動物用罠装置が開示されている。
【０００４】
実用新案登録第３１０１２２５号公報（特許文献２）には、二つの踏み板が折り曲げ自在に接続された踏み板組立体と、踏み板組立体を載置するための載置台とを有し、両踏み板を山形に維持した状態にて踏み板組立体の外周囲に、捕獲用ワイヤーロープの一端に形成された先端わさ部を巻回し、ワイヤーロープ張りばねを所定位置まで圧縮して先端わさ部に縮径力を付勢し、踏み板組立体は、踏み板を踏むことにより、山形形状に維持されていた踏み板は、逆の凹形状となるように移動し、それによって、ワイヤーロープ先端わさ部は、ワイヤーロープ張りばねにより踏み板組立体から上方へと抜け出て絞り込まれることを特徴とする動物用罠が開示されている。
【先行技術文献】
【特許文献】
【０００５】
【特許文献１】実用新案登録第３１７２２９８号公報
【特許文献２】実用新案登録第３１０１２２５号公報
【考案の概要】
【考案が解決しようとする課題】
【０００６】
特許文献１では、罠装置をセットする際に、バネ圧縮管内にバネを圧縮してセットネジにて圧縮したバネを保持し、ストッパーを緩めることによりバネ圧縮管をワイヤに沿って移動させ、ループ部を広げて踏み板の外周に巻回し、踏み板が屈曲しないように付勢した状態になるようバネ圧縮管の位置を調整した上、ストッパーにて固定する。この状態で踏み板を基台に載置することにより、踏み板の両端部が基台の段部上に係止される。そして、動物が踏み板に脚を載せると踏み板が下方に屈曲し、それに伴ってワイヤループ部が踏み板より開放される。この際、バネ圧縮管内のバネが伸長してループ係合部材を押圧しループの径を縮めるため、動物の脚がループ内で捕捉される。
【０００７】
また、特許文献２では、動物用罠を仕掛けた状態で、動物の脚部が踏み板を踏むと、踏み板が下方へと押し下げられることにより、両踏み板は、山形形状に維持されていた上方向へと継ぎ手の回りに回動し、凹形状へと変化する。そして、ワイヤーロープ先端わさ部は、ワイヤーロープ張りばねにより常にその大きさが小さくなるように圧縮力が付勢されており、ワイヤーロープ先端わさ部から踏み板の方へと移動する力が加速度的に付加される。これにより、ワイヤーロープ先端わさ部は、踏み板組立体の上方へと移動し、踏み板の側部フランジ板が上方へと回動すると、踏み板組立体から上方へと抜け出て、ワイヤーロープ張りばねにより絞り込まれ、踏み板を踏んだ動物の脚部を瞬時に括り付ける。
【０００８】
このように、特許文献１及び特許文献２の括りわなは、動物が踏み板に脚を載せると踏み板が下方に屈曲し、ワイヤループ部が踏み板より開放され、ワイヤに組み込まれたバネの付勢力によって、動物の脚がワイヤループ部で捕捉されるというものである。
【０００９】
しかしながら、特許文献１及び特許文献２の括りわなでは、捕獲対象の重量に応じて適切に作動するような機構が備えられていないため、リスやうさぎのような小動物であれ、鹿や猪などの中型動物であれ、様々な種類の動物が捕獲対象となってしまうことになる。すなわち、動物が踏み板を踏んだ場合には、捕獲対象の重量に関わらず、左右の踏み板が下方に回動して捕獲状態となってしまうおそれが非常に高く、その結果として、捕獲対象の動物を捕獲し損なう場合が生じ得る。このように、従来の動物用罠装置では、意図している捕獲対象の動物の重量に応じて適切に作動しないという問題がある。
【００１０】
本考案の目的は、捕獲対象の動物に相当する重量が加わったときに、適切に捕獲状態となるようにした括りわなを提供することである。
【課題を解決するための手段】
【００１１】
本考案の一実施形態による括りわなは、第１及び第２の踏み板と、括りワイヤと、弾性体とを備える。第１及び第２の踏み板は、折り曲げ可能に連結される。括りワイヤは、第１及び第２の踏み板の外周に巻き付けられる括り輪を有し、括り輪が締まるように付勢可能である。弾性体は、第１及び第２の踏み板に架け渡される。
【００１２】
この実施形態によれば、第１及び第２の踏み板が弾性体により付勢されるため、捕獲対象の動物に相当する重量が加わったときに、この括りわなは適切に捕獲状態となる。
【００１３】
本考案の一実施形態による括りわなは、さらに、第１及び第２の踏み板の連結部分に挿入される安全ピンを備える。この場合、安全ピンを挿入すれば、第１及び第２の踏み板が折れ曲がり、括り輪が外れるのを防止することができる。
【００１４】
本考案の一実施形態による括りわなは、さらに、第１及び第２の踏み板の連結部分と反対側の部分に突出するように設けられる支持部を備える。この場合、地面に掘った穴の上に括りわなを設置することができる。
【考案の効果】
【００１５】
本考案によれば、捕獲対象の動物に相当する重量が加わったときに、適切に捕獲状態となるようにした括りわなを提供できる。
【図面の簡単な説明】
【００１６】
【図１】本考案の実施形態による括りわなの全体構成を示す斜視図である。
【図２】図１に示した括りわなにおける踏み板、引張りばね及び括りワイヤを示す斜視図である。
【図３】図２に示した踏み板及び引張りばねを示す平面図である。
【図４】図３に示した踏み板及び引張りばねを示す側面図である。
【図５】図１に示した括りわなにおける括りワイヤを示す斜視図である。
【図６】図１に示した括りわなにおけるハンドルの使用状態を示す斜視図である。
【図７】図１に示した括りわなの使用状態を示す概略図である。
【考案を実施するための形態】
【００１７】
以下、図面を参照し、本考案の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００１８】
図１及び図２を参照して、括りわな１は、野生の鹿や猪などの中型の動物を捕獲するためのわな装置であって、主に、踏み板２１及び２２と、回転軸３と、支持部４と、引張りばね５と、安全ピン６と、括りワイヤ７と、ハンドル８とを備えている。
【００１９】
踏み板２１及び２２は、図１〜図４に示すように、鋼製のものであって、折り曲げ可能に連結されている。
【００２０】
踏み板２１は、図３に示すように、矩形状の平面部２１ａと、平面部２１ａの三方を囲う側面部２１ｂ、２１ｃ、及び２１ｄとを備える。踏み板２１の側面部２１ｂ及び２１ｃには、側面部２１ｄの反対側に、平面部２１ａの端から突出した先端部分２１ｇが形成されている。
【００２１】
踏み板２２は、図３に示すように、矩形状の平面部２２ａと、平面部２２ａの三方を囲う側面部２２ｂ、２２ｃ、及び２２ｄとを備える。踏み板２２の側面部２２ｂ及び２２ｃには、側面部２２ｄの反対側に、平面部２２ａの端から突出した先端部分２２ｇが形成されている。
【００２２】
踏み板２２における側面部２２ｂと側面部２２ｃとの内幅寸法は、踏み板２１における側面部２１ｂと側面部２１ｃの外幅寸法よりも大きくなっている。この形状の違いにより、踏み板２１の先端部分２１ｇと踏み板２２の先端部分２２ｇとが嵌め合され、踏み板２１及び踏み板２２が互いに連結される。
【００２３】
踏み板２１の先端部分２１ｇ及び踏み板２２の先端部分２２ｇには、図示しない穴がそれぞれ形成されており、踏み板２１の先端部分２１ｇと踏み板２２の先端部分２２ｇとを嵌合させた状態において、互いに重なり合った穴にボルト・ナットやリベットなどによる回転軸３が取り付けられる。踏み板２１及び２２は、この回転軸３により、折り曲げ可能に連結される。踏み板２１及び２２は、図４及び図７に示すように、回転軸３を支点として、それぞれ上下方向に回動し、踏み板２１及び２２の連結部分Ｃが折り曲げ可能になり、凸状または凹状に可変できるようになっている。
【００２４】
ところで、本考案の実施形態では、踏み板２１及び２２が凸状に折り曲げられる際、踏み板２１の先端部分２１ｇが連結部分Ｃにおける踏み板２２の平面部２２ａの端部に接触するようにして、踏み板２１及び２２が所定の角度以上に回動しないように制限されている。この制限によって、引張りばね５を踏み板２１及び２２に取り付ける際、踏み板２１及び２２が必要以上に凸状に折り曲げられることを防止しつつ、適切な角度で引張りばね５の取り付けができる。
【００２５】
具体的には、先端部分２１ｇ及び先端部分２２ｇの上下方向において、回転軸３を平面部２１ａ及び平面部２２ａ寄りの上方位置に設けるのが好ましい。回転軸３を設ける位置により、回転軸３から先端部分２１ｇの下側の角部までの距離が回転軸３から先端部分２１ｇの上側の角部までの距離よりも長くなるようにできる。この距離の差を設けることによって、踏み板２１及び２２を凸状に折り曲げる際、先端部分２１ｇの上側の角部は連結部分Ｃにおける踏み板２２の平面部２２ａの端部に接触せずに回動し続け、所定の角度まで回動したときに、先端部分２１ｇの下側の角部が連結部分Ｃにおける踏み板２２の平面部２２ａの端部に接触する。このようにして、所定の角度以上に踏み板２１及び２２が回動しないように制限される。
【００２６】
或いは、回転軸３を設ける位置に関わらず、踏み板２１の先端部分２１ｇが、踏み板２２の平面部２２ａの下方域まで延設されており、且つ、踏み板２１の先端部分２１ｇの上方部分が切り欠かれた形態であってもよい。この形態であれば、先端部分２１ｇと平面部２２ａの内面との間に、先端部分２１ｇの上方部分が切り欠かれた分だけの間隙を生じさせ、踏み板２１及び２２を凸状に折り曲げる際、この間隙に相当する所定の角度まで踏み板２１及び２２を回動させることができる。すなわち、所定の角度まで踏み板２１及び２２を回動させると、先端部分２１ｇの上側の角部が連結部分Ｃにおける踏み板２２の平面部２２ａの端部に接触し、その結果として、所定の角度以上に踏み板２１及び２２が回動しないように制限される。
【００２７】
踏み板２１及び２２は、連結部分Ｃと反対側の部分に突出するように設けられる支持部４を備える。
【００２８】
具体的には、支持部４は、図４に示すように、踏み板２１の側面部２１ｄと、踏み板２２の側面部２２ｄとのそれぞれに設けられている。踏み板２１の側面部２１ｄに設けられた支持部４は、踏み板２１の側面部２１ｂ及び側面部２１ｃの外側に向かって突出するように設けられている。踏み板２２の側面部２１ｄに設けられた支持部４は、踏み板２２の側面部２２ｂ及び側面部２２ｃの外側に向かって突出するように設けられている。
【００２９】
なお、本考案の実施形態による支持部４は、鋼製の丸棒形状のものを採用しており、鋼製の踏み板２１及び２２に溶接して取り付けられている。
【００３０】
ところで、従来の括りわなであれば、踏み板を支持する台座を設けて、その台座を地面Ｇの上に直接設置する形態となっている。しかしながら、このような従来の形態であると、括りわな自体が地面Ｇから盛り上がった状態となっているため、捕獲対象である鹿や猪などの中型動物が括りわなそのものを障害物と見立てて、簡単に避けられてしまうおそれがある。これに対して、本考案の実施形態による括りわな１は、台座を備えなくても、踏み板２１及び２２に固定された支持部４により、穴Ｈの周囲の地面Ｇに直接支持することになるため、括りわな自体が地面Ｇから盛り上がった状態とならず、捕獲対象である鹿や猪などの中型動物を捕獲する確率が高まる。
【００３１】
また、本考案の実施形態による括りわな１は、踏み板２１及び２２に固定された丸棒状の支持部４という比較的簡易な構成を採用しているため、台座を別途備える従来品と比べて、製造コストを低廉に抑えることもできる。
【００３２】
引張りばね５は、踏み板２１及び２２の連結部分Ｃに向かう方向の付勢力を生じさせる弾性体としての働きをするものであり、ばね部５１と、その両端に形成された留め輪部５２とからなる。この引張りばね５は、図３及び図４に示すように、踏み板２１及び２２に架け渡されるようにして装着されている。
【００３３】
より具体的には、図３に示される上側の引張りばね５は、その両端に形成された留め輪部５２が踏み板２１の側面部２１ｂに設けられたフック２１ｆ及び踏み板２２の側面部２２ｂに設けられたフック２２ｆにそれぞれ引っ掛けられ、踏み板２１及び２２に架け渡されるようにして装着されている。
【００３４】
同様に、図３に示される下側の引張りばね５についても、その両端に形成された留め輪部５２が踏み板２１の側面部２１ｃに設けられたフック２１ｆ及び踏み板２２の側面部２２ｃに設けられたフック２２ｆにそれぞれ引っ掛けられ、踏み板２１及び２２に架け渡されるようにして装着されている。
【００３５】
引張りばね５を装着した踏み板２１及び２２は、図４に示すように、連結部分Ｃが少し上方に突出した凸状で静止している状態が好ましい。この凸状の静止状態では、踏み板２１及び２２の連結部分Ｃが重力方向に落ち込むことによる外向きの方向に移動しようとする力と、引張りばね５による踏み板２１及び２２の連結部分Ｃに向かう方向の付勢力とが均衡している状態となっている。
【００３６】
踏み板２１及び２２は、引張りばね５を装着することによって凸状の静止状態が保たれる。このため、リスやうさぎのような捕獲対象外の小動物に相当する重量が踏み板２１及び踏み板２２に加わった場合や、誤作動等により踏み板２１及び踏み板２２が多少押し下げられた場合であっても、踏み板２１及び２２における静止状態の均衡は崩れず、目的とする鹿や猪などの中型動物に相当する適切な重量が加わらない限り、括りわな１が誤って容易に捕獲状態に移行しないようになっている。
【００３７】
つまり、引張りばね５を装着した踏み板２１及び２２に鹿や猪などの中型動物に相当する重量が加わった場合には、踏み板２１及び２２の静止状態の均衡が崩れて、括りわな１が作動し、引張りばね５の付勢力により、踏み板２１及び踏み板２２の連結部分Ｃが下方に勢いよく落ち込む。このように、括りわな１は、踏み板２１及び２２の連結部分Ｃが凹む状態、すなわち、捕獲状態に瞬間的に移行するようになっている。
【００３８】
また、引張りばね５は、踏み板のフック２１ｆ及び２２ｆから簡単に取り外しができるようになっている。このため、捕獲対象とする動物の重量を事前に推定して、引張りばね５のバネ線形、巻き数、及び材質等の弾性力に影響を与える諸条件を設定し、その都度目的に適った引張りばね５を踏み板２１及び２２に換装することで、捕獲対象に適合する括りわな１を適宜使用することが可能となっている。
【００３９】
踏み板２１の両側に形成されている側面部２１ｂ及び側面部２１ｃには、回転軸３が位置する下方に、それぞれ穴２１ｅが形成されている。同様に、踏み板２２の両側に形成されている側面部２２ｂ及び側面部２２ｃにも、回転軸３が位置する下方に、それぞれ穴２２ｅが形成されている。穴２１ｅ及び２２ｅは、安全ピン６を挿入するためのものである。図４に示す踏み板２１及び２２の静止状態において、穴２１ｅと穴２２ｅとが重なり合う位置になっており、この位置において、安全ピン６は、重なり合った穴２１ｅ及び２２ｅに挿入されることになる。これにより、後述する括りワイヤ７の括り輪７１を踏み板２１及び２２全体の外周に巻き付ける作業を行う間、踏み板２１及び２２の誤作動を防ぐことができる。
【００４０】
安全ピン６は、鋼製や木製などの種々の材質を適宜選択することが可能である。
【００４１】
例えば、爪楊枝などの木製の安全ピンを用いれば、括りわな１が作動して踏み板２１及び２２が下方に落ち込むとともに、木製の安全ピンは容易に折れることになるため、括りわな１の作動において、特段大きな影響はないと考えられる。このため、木製の安全ピンであれば、巻付作業後に特に取り外す必要がないという利点がある。
【００４２】
また、捕獲対象となる動物の重量と木製の安全ピンの折れ具合とを考慮し、あらかじめ穴２１ｅ及び２２ｅに挿入する木製の安全ピン（爪楊枝など）の本数を複数本とすることによって、括りわな１が作動する重量の微調整も事前に行うことが可能となる。
【００４３】
括りわな１は、図２及び図４に示すように、踏み板２１及び２２の静止状態において、括りワイヤ７の括り輪７１を踏み板２１及び２２の外周に巻き付けることにより、その作動状態が作られる。この括りワイヤ７は、図５に示すように、長い金属製のワイヤ７ａで構成されており、ワイヤ７ａの一方の端部には括り輪７１が形成され、他方の端部には固定輪７２が形成されている。
【００４４】
括り輪７１は、ワイヤ７ａの一端部に固着された留め金具７４をワイヤ７ａに装着されて移動可能な締付金具７５に引っ掛けた状態で輪が作られるものである。この輪の大きさは、ワイヤ７ａに対する締付金具７５の位置調整により、拡縮自在となっている。
【００４５】
圧縮ばね７３は、ワイヤ７ａの長手方向に沿って長く形成されたコイル状のばねであり、ワイヤ７ａに挿通された状態で括りワイヤ７に装着されている。この圧縮ばね７３は、収縮状態に抗する外向きの弾性力によって、締付金具７５を留め金具７４の方向に押し込み、括り輪７１の輪の大きさを縮めるように作用するものである。
【００４６】
調整金具７６は、図５に示すように、円筒部７６ａと鍔部７６ｂとからなるハット状の形状をした金具であり、ワイヤ７ａに挿通された状態で括りワイヤ７に装着されている。この調整金具７６は、圧縮ばね７３と固定輪７２との間において、ワイヤ７ａに挿通された状態で括りワイヤ７に装着されている。調整金具７６は、後述する蝶ネジ７７で固定されない状態では、ワイヤ７ａに対して自由に移動できるようになっている。
【００４７】
蝶ネジ７７は、調整金具７６の円筒部７６ａのねじ穴（図示せず）に対して、ワイヤ７ａの方向に向かい螺合されるものである。
【００４８】
調整金具７６は、蝶ネジ７７の螺合状態において、蝶ネジ７７の先端がワイヤ７ａにねじ込まれることにより、ワイヤ７ａに対して固定される。これによって、ワイヤ７ａの適宜の位置に調整され、その位置にて調整金具７６を固定できるようになっている。
【００４９】
圧縮ばね７３は、蝶ネジ７７にて固定される前の調整金具７６を用いて、括り輪７１の方向に押し付けられることにより、圧縮された状態となる。この圧縮ばね７３の圧縮状態の時に、蝶ネジ７７により調整金具７６をワイヤ７ａに固定すれば、固定された調整金具７６の位置において、圧縮状態の蝶ばね７３における弾性力を調整することができる。
【００５０】
［使用方法］
以下、本考案の実施形態による括りわな１の使用方法を説明する。
【００５１】
まず、踏み板２１及び２２に引張りばね５を装着する。具体的には、一方の引張りばね５において、留め輪部５２を踏み板２１の側面部２１ｂに設けられたフック２１ｆと、踏み板２２の側面部２２ｂに設けられたフック２２ｆにそれぞれ引っ掛ける。
【００５２】
同様に、他方の引張りばね５についても、その両端に形成された留め輪部５２を踏み板２１の側面部２１ｃに設けられたフック２１ｆと、踏み板２２の側面部２２ｃに設けられたフック２２ｆにそれぞれ引っ掛ける。
【００５３】
この際、図４に示すように、連結部分Ｃが少し上方に突出した凸状の状態で静止するように、踏み板２１及び２２に引張りばね５を装着する。
【００５４】
踏み板２１及び２２に引張りばね５を装着した後、捕獲対象の通り道となる地面Ｇに適切な大きさの穴Ｈを掘り、穴Ｈの真上に踏み板２１及び踏み板２２を設置する。この際、踏み板２１及び２２に設けられた支持部４が穴Ｈの周囲の地面Ｇに直接支持されるように設置する。
【００５５】
踏み板２１及び２２の設置後、踏み板２１及び踏み板２２の静止状態において、踏み板２１の穴２１ｅ及び踏み板２２の穴２２ｅに安全ピン６を挿入する。
【００５６】
この際、側面部２２ｂ又は側面部２２ｃのいずれか片方の穴２１ｅ及び２２ｅに安全ピン６を１本挿入するだけで足りるが、２本の安全ピン６を用いて側面部２２ｂ及び側面部２２ｃの穴２１ｅ及び２２ｅにそれぞれ１本ずつ挿入してもよい。
【００５７】
次に、踏み板２１及び２２の静止状態において、括りワイヤ７の括り輪７１を踏み板２１及び２２の外周に軽く巻き付ける。
【００５８】
その後、括りワイヤ７の圧縮ばね７３の端部に設けられた調整金具７６付近のワイヤ７ａにハンドル８の挿入部８２を差し込み、ハンドル８の把持部８１を手で持った状態で括り輪７１の方向に向かって引っ張る。括り輪７１が踏み板２１及び２２の外周に巻き付けられ、しっかり締まった状態を確認した後、巻付け状態を保持するために調整金具７６に蝶ネジ７７を締め付けて、調整金具７６をワイヤ７ａに固定する。
【００５９】
この作業により、押しばね７３が圧縮された状態を保持することができ、その結果、括り輪７１が、踏み板２１及び２２に対して括り輪７１がしっかり巻き付けられた収縮状態となる。
【００６０】
この巻付け作業の時に、外付けのハンドル８を用いれば、作業後の括りワイヤ７にハンドル８が残らず、括りわな１の外観上もすっきりし、更には別の括りわな１の作業時にもハンドル８の再利用が可能となる。また、ハンドル８は、把持部８１が形成されていることから、巻付け作業の際、作業者の力を適切にハンドル８に加えることができ、ハンドル８を介して、作業者の引っ張り力が括りワイヤ７の圧縮ばね７３に作用することから、踏み板２１及び２２に対する括り輪７１の巻付け作業が簡単になり、作業の効率化を図ることができる。
【００６１】
括りワイヤ７の括り輪７１を踏み板２１及び２２の外周にしっかり巻き付けた後は、安全ピン６を穴２１ｅ及び２２ｅから抜き取る。
【００６２】
最後に、ワイヤ７ａの端部に形成されている固定輪７２を周囲の木などに取り付け、周囲の枯葉や土等で括りわな１全体を覆い隠すことで、括りわな１の設置作業が終了する。
【００６３】
図７は、本考案の実施形態による括りわな１の使用状態を示す概略図である。上述のように、図７における上図は、括りわな１が静止状態（設置状態）にある時のものを表したものであり、図７における下図は、鹿や猪などの野生動物が括りわな１に捕獲されて、踏み板２１及び２２が作動した後の状態を示すものである。
【００６４】
鹿や猪などの野生動物の脚部Ｌが踏み板２１及び２２を踏んだ時、括りわな１は、図７における上図の静止状態から瞬間的に図７における下図の捕獲状態に移行して、踏み板２１及び２２の連結部分Ｃが回転軸３を支点として下方に折り曲げられることになる。
【００６５】
より具体的には、鹿や猪などの野生動物の脚部Ｌが踏み板２１及び２２を踏むと同時に、引張りばね５による踏み板２１及び２２の静止状態における均衡が崩れ、引張りばね５による内側方向への付勢力によって、瞬間的に踏み板２１及び２２の連結部分Ｃが回転軸３を支点として勢いよく下方に折り曲げられ、鹿や猪などの野生動物が穴Ｈに落ち込むことになる。
【００６６】
この動作と同時に、括り輪７１は、踏み板２１及び２２の外周から外れ、括り輪７１に装着された圧縮ばね７３による付勢力の作用により、括り輪７１が瞬間的に収縮し、鹿や猪などの野生動物の脚部Ｌに括り輪７１が締まることになる。
【００６７】
このように、本考案の実施形態による括りわな１は、捕獲対象の重量に応じて適切に作動させるための引張りばね５を備えていることから、捕獲対象の動物が括りわな１を踏んだ場合には、踏み板２１及び２２が下方に回動して捕獲状態となり、捕獲対象の動物を確実に捕獲することができる。
【００６８】
[その他の実施形態]
上記実施形態では、引張りばね５は、踏み板２１及び２２の両側に設けられているが、片側のみに設けられていてもよい。
【００６９】
上記実施形態では、フック２１ｆ及び２２ｆは、踏み板２１及び２２の連結部分Ｃから最も遠い位置に設けられているが、もう少し連結部分Ｃに近い位置に設けられていてもよい。
【００７０】
上記実施形態で示した引張りばね５に代えて、踏み板２１及び２２の連結部分Ｃに向かう方向の付勢力を有する弾性体としてのゴムを用いてもよい。
【００７１】
上記実施形態では、引張りばね５は、フック２１ｆ及び２２ｆを介して踏み板２１及び２２に取り付けられているが、踏み板２１及び２２に溶接等により直接固定されていてもよい。
【００７２】
上記実施形態では、安全ピン６は、踏み板２１及び２２の両側に挿入されているが、片側のみに挿入されていてもよい。
【００７３】
上記実施形態では、支持部４は、棒状であるが、板状であってもよく、その形状は特に限定されない。さらに、上記実施形態では、支持部４は、図３上で上下方向に突出しているが、図３上で左右方向に突出していてもよい。
【００７４】
以上、本考案についての実施形態を説明したが、本考案は上述の実施形態のみに限定されず、考案の範囲内で種々の変更が可能である。
【産業上の利用可能性】
【００７５】
本考案は、捕獲対象の動物に相当する重量が加わったときに、適切に捕獲状態となるようにした括りわなとして産業上の利用が可能である。
【符号の説明】
【００７６】
１      括りわな
２１，２２    踏み板
３      回転軸
４      支持部
５      引張りばね
６      安全ピン
７      括りワイヤ
８      ハンドル
Ｃ      連結部分
【図１】
0003187059.tif 000003
【図２】
0003187059.tif 000004
【図３】
0003187059.tif 000005
【図４】
0003187059.tif 000006
【図５】
0003187059.tif 000007
【図６】
0003187059.tif 000008
【図７】
0003187059.tif 000009